(57)【要約】      （修正有）【課題】乾電池等の電源を使用しないで、又は家庭用電源とローラとを結ぶ配線を無くすことにより持ち運びを容易にし、さらに皮膚へのイオン導入作用を低下すること無しにイオン導入効果を常時高めることができ、皮膚をより活性化することにより美顔に効果をもたらす美顔装置。【解決手段】第１種類の貴金属材料２０と顔の皮膚とは面接点を、第２種類の金属材料２４、２６と手との間でピン接点及び又はプレート接点を形成して、第１電極と第２電極とを手で握ることにより、両電極間に電位差１．４ボルトから１．８ボルトを生じ、電位差を形成してイオン電流が流れる。【選択図】図１
2009078110.tif 000002
【特許請求の範囲】
【請求項１】
グリップ本体と、前記グリップ本体の一端側に回転可能に設けられた回転体と、前記回転体は、回転基体に第１仕事関数の貴金属材料を設けてなる第１電極を備え、前記グリップ本体のグリップ部に第２仕事関数の金属材料を設けてなる第２電極とを備え、前記第１電極と前記第２電極との間に電位差を形成してイオン電流が流れるようにしてなる美顔装置。
【請求項２】
グリップ本体と、前記グリップ本体の一端側に回転可能に設けられた回転体と、前記回転体は、回転基体の表面にプラチナを設けてなる第１電極を備え、前記グリップ本体のグリップ部に設けられたマグネシウム又は酸化マグネシウムの粒子からなる第２電極を備え、前記第１電極と前記第２電極との間に電位差を形成してイオン電流が流れるようにしてなる美顔装置。
【請求項３】
グリップ本体と、前記グリップ本体の一端側に回転可能に設けられた回転体と、前記回転体は、回転基体の表面にプラチナを設けてなる第１電極を備え、前記グリップ本体のグリップ部に設けられたマグネシウム又は酸化マグネシウムの板からなる第２電極を備え、前記第１電極と前記第２電極との間に電位差を形成してイオン電流が流れるようにしてなる美顔装置。
【請求項４】
グリップ本体と、前記グリップ本体の一端側に回転可能に設けられた回転体と、前記回転体は、回転基体の表面にプラチナを設けてなる第１電極を備え、前記グリップ本体のグリップ部の上面及び又は下面に設けられた複数個のマグネシウム又は酸化マグネシウムの粒子と、前記グリップ本体のグリップ部の側面に設けられたマグネシウム又は酸化マグネシウムの板からなる第２電極を備え、前記第１電極と前記第２電極との間に電位差を形成してイオン電流が流れるようにしてなる美顔装置。
【請求項５】
前記電位差は、約１．４ボルト〜約１．８ボルトであることを特徴とする請求項１、２、３又は４のいずれか１項記載の美顔装置。
【発明の詳細な説明】
【技術分野】
【０００１】  本発明は、プラチナを被覆してなる回転ローラを顔にあてて回転してなる美顔装置に関する。
【背景技術】
【０００２】  ローラ基体上にプラチナの被覆を有する美顔用ローラと、このローラを回転可能に保持する保持部材とからなるプラチナ美顔ローラは、知られている。プラチナをローラに取り付け、これで皮膚をこすることにより、皮膚に刺激をしつつ、一方ではプラチナがイオン化して皮膚内に浸透することにより皮膚を活性化することにより美肌、美顔に効果がある（特許文献１）。通常、これらの美顔ローラは、本体内に内蔵してある電池又は家庭用電源を駆動源としている。従って、電池切れを生じ、又は家庭用電源とローラとを結ぶ配線があるため持ち運びに不便である等の欠点があった。
【特許文献１】  特開昭６３−２９２９６７号
【発明の開示】
【発明が解決しようとする課題】
【０００３】  従って、本発明は、乾電池等の電源を使用しないで、又は家庭用電源とローラとを結ぶ配線を無くすことにより持ち運びを容易にし、さらに皮膚へのイオン導入作用を低下すること無しにイオン導入効果を常時高めることができ、皮膚をより活性化することにより美顔に効果をもたらす美顔装置を提供することを目的とするものである。
【課題を解決するための手段】
【０００４】  グリップ本体と、前記グリップ本体の一端側に回転可能に設けられた回転体と、前記回転体は、回転基体に第１仕事関数の貴金属材料を設けてなる第１電極を備え、前記グリップ本体のグリップ部に第２仕事関数の金属材料を設けてなる第２電極とを備え、前記第１電極と前記第２電極との間に電位差を形成してイオン電流が流れるようにしてなる美顔装置。【０００５】  グリップ本体と、前記グリップ本体の一端側に回転可能に設けられた回転体と、前記回転体は、回転基体の表面にプラチナを設けてなる第１電極を備え、前記グリップ本体のグリップ部に設けられたマグネシウム又は酸化マグネシウムの粒子からなる第２電極を備え、前記第１電極と前記第２電極との間に電位差を形成してイオン電流が流れるようにしてなる美顔装置。【０００６】  グリップ本体と、前記グリップ本体の一端側に回転可能に設けられた回転体と、前記回転体は、回転基体の表面にプラチナを設けてなる第１電極を備え、前記グリップ本体のグリップ部に設けられたマグネシウム又は酸化マグネシウムの板からなる第２電極を備え、前記第１電極と前記第２電極との間に電位差を形成してイオン電流が流れるようにしてなる美顔装置。【０００７】  グリップ本体と、前記グリップ本体の一端側に回転可能に設けられた回転体と、前記回転体は、回転基体の表面にプラチナを設けてなる第１電極を備え、前記グリップ本体のグリップ部の上面及び又は下面に設けられた複数個のマグネシウム又は酸化マグネシウムの粒子と、前記グリップ本体のグリップ部の側面に設けられたマグネシウム又は酸化マグネシウムの板からなる第２電極を備え、前記第１電極と前記第２電極との間に電位差を形成してイオン電流が流れるようにしてなる美顔装置。【０００８】  前記電位差は、約１．４ボルト〜約１．８ボルトであることを特徴とする請求項１、２、３又は４のいずれか１項記載の美顔装置。
【発明の効果】
【０００９】  グリップ本体の一端側に設けられた第１仕事関数の貴金属材料からなる第１電極と、グリップ本体のグリップ部に設けられた第２仕事関数の金属材料からなる第２電極とを備え、第１電極と第２電極とを手で握ることにより電位差を形成してイオン電流が流れるようにすることにより、乾電池等の電源を使用しないで、又は家庭用電源とローラとを結ぶ配線を無くすことにより持ち運びを容易にし、さらに皮膚へのイオン導入作用を低下すること無しにイオン導入効果を常時高めることができ、皮膚をより活性化することにより美顔に効果をもたらす。さらに、両材料電極間に電位差  約１．４ボルト〜約１．８ボルトを生じさせることにより、より皮膚へのイオン導入効果を高める効果がある。
【発明を実施するための最良の形態】
【００１０】  本発明の美顔装置は、グリップ本体の一端側に設けられた第１仕事関数の貴金属材料からなる第１電極と、グリップ本体のグリップ部に設けられた第２仕事関数の金属材料からなる第２電極とを備え、前記貴金属材料と顔の皮膚とは点もしくは面接点を、前記金属材料と手との間で点接点及び又は面接点を形成して、第１電極と第２電極とを手で握ることにより電位差を形成してイオン電流が流れるようにしてなる。【００１１】  第１仕事関数の貴金属材料と第２仕事関数の金属材料は、その間に電位差を形成するように選択される。第１仕事関数の貴金属材料と第２仕事関数の金属材料との組み合わせとして、プラチナとマグネシウム又は酸化マグネシウムの組みせが使用されるが、この２種の材料の組み合わせに限らずに異なる仕事関数の材料属間に電位差を生じる組み合わせであればよい。例えば、第１仕事関数の貴金属材料として金、又は白金、第２仕事関数の金属材料としてマグネシウム、酸化マグネシウムとの組み合わせが用いられる。これらプラチナ等の第１仕事関数の貴金属材料と第２仕事関数の金属材料としてマグネシウム又は酸マグネシウムとを組み合わせて、両材料からなる両電極間を手で握ると、その間に電位差１．４ボルトから１．８ボルトを生じる。白金の仕事関数は、５．３６ｅＶ−５．６５ｅＶ、マグネシウムの仕事関数は３．５ｅＶ−４．０ｅＶ、酸化マグネシウムの仕事関数は、７．３ｅＶである。【００１２】  第１仕事関数の貴金属材料と顔の皮膚とは面接点を、第仕事間の２金属部材金属材料と手との間でピン接点及び又はプレート接点を形成する。
【実施例】
【００１３】  以下、図面を参照して、本発明の美顔装置の一実施例を説明する。【００１４】  図１において、符号１０は、美顔装置である。美顔装置１０は、手で握るグリップ本体１２と、その先端に取り付けられた回転体１４とを備える、回転体１４は、回転可能に取り付けられた回転基体であるローラ１６を備える。ローラ１６は、回転可能に回転支持軸１８に設けられる。ローラは、その表面に被覆されたプラチナ被覆層２０を備える。ローラ１６の表面に被覆されたプラチナ被覆層２２が、第１電極を形成する。プラチナ電極と顔の皮膚とは点もしくは面接点を形成する。【００１５】  被覆されるプラチナは、純度が高いほど望ましい。特に純度９９．９９９％以上のものを使用することが好ましい。ローラ基体上にプラチナを被覆する手段は、真空蒸着法、スパッタリング法、イオンプレーティング法等を使用することができる。プラチナ被覆の厚みは、２μｍ〜３μｍ程度である。ローラ基体は、ステンレスやチタン等の金属、プラスチック、セラミックス等が使用される。ローラ基体は、回転支持軸と接触する部分を耐摩耗性のある材料を使用することが好ましい。【００１６】  グリップ本体１２は、プラスチックにクロムメッキして構成される。グリップ本体は、手で握るグリップ部の上面及び又は下面にマグネシウム又は酸化マグネシウムの粒子を複数個、例えば３個〜４個を配設している。また、グリップ本体は、手で握るグリップ部の片側又は両側面にマグネシウム又は酸化マグネシウムの板を配設している。グリップ部の片側又は両側面にマグネシウム又は酸化マグネシウムの板は、１枚又は所定の間隔をもって２枚配設されている。【００１７】  マグネシウム又は酸化マグネシウムの粒子、マグネシウム又は酸化マグネシウムの板のいずれかをグリップ本体に設けてもよく、マグネシウム又は酸化マグネシウムの粒子とマグネシウム又は酸化マグネシウムの板の両方をグリップ本体に設けてもよい。【００１８】  グリップ部の上面及び又は下面のマグネシウム又は酸化マグネシウムの粒子、及び又はグリップ部の片側又は両側面のマグネシウム又は酸化マグネシウムの板が、第２電極を形成する。マグネシウム又は酸化マグネシウムの粒子、及び又はマグネシウム又は酸化マグネシウムの板の電極と手との間で点接点及び又は面接点を形成している。【００１９】  グリップ本体のグリップ個所に設けられたマグネシウム又は酸化マグネシウムの粒子、及び又はマグネシウム又は酸化マグネシウムの板からなる第２電極を手で握る。そして、顔に電解質溶液、薬液を塗布して、その上にプラチナ被覆の第１電極を有するローラ１６を顔の皮膚に当て皮膚上をローラで転がす。かくして、マグネシム又は酸化マグネシウムのからなる第２電極とローラに被覆されたプラチナの第１電極との異種の貴金属と金属とからなる電極間に電位差が形成され、イオン電流が流れる。マグネシウム又は酸化マグネシウムのからなる第２電極とローラに被覆されたプラチナからなる第１電極との間に約１．４ボルト〜約１．８ボルトの電位差を生じる。このように、皮膚と握った手との間に生じる電位差により、プラチナ被覆ローラを皮膚に軽く転がすだけで、皮膚にイオン導入効果を常時高めることができ、皮膚をより活性化することができる。【００２０】  図３は、他の美顔装置を示す概略図である。美顔装置は、六角柱型の回転可能な回転基部３０からなる回転体１４と、手で握持するグリップ本体３２と、回転体１４とグリップ本体３２とを回転可能に接続する回転棒３４と備える。回転基部３０は、複数個、例えば３から４個のプラチナの粒子３６を六角柱の隣接する片又は所定の片に配置している。グリップ本体３２は、円筒型であり、円筒型の周囲にマグネシウム又は酸化マグネシウムの粒子３８及び又は板４０を配置している。マグネシウム又は酸化マグネシウムの粒子及び又は板を配置しているグリップ部を手で握持して、回転基部３０を顔の皮膚に当て回転させる。
【産業上の利用可能性】
【００２１】  美顔ビューティーローラ
【図面の簡単な説明】
【００２２】
【図１】本発明に係る美顔装置を示す平面図である。
【図２】本発明に係る美顔装置を示す側面図である。
【図３】本発明に係る他の美顔装置を示す概略図である。
【符号の説明】
【００２３】１０；美顔装置
１２、３２；グリップ本体
１４；回転体
１６、３０；回転基体
１８；回転支持軸
２０；プラチナ被覆層
２４、３８；マグネシウム粒子
２６、４０；マグネシウム板
３６；プラチナの粒子
【図１】
2009078110.tif 000003
【図２】
2009078110.tif 000004
【図３】
2009078110.tif 000005